(57)【要約】【課題】  炉内の雰囲気ガスを循環させるためのファンを駆動する電動モータが炉内の熱によって故障するなどの悪影響を受けるのを抑える。【解決手段】  リフロー炉１の各加熱ゾーンＺ１〜Ｚ８に設けられたブロアファン３はシャフト４を介して電動モータ５に連結されており、電動モータ５は外側カバー７によって覆われている。炉壁６と外側カバー７と間には通気ダクト１０が設けられている。通気ダクト１０は、その入口１１に涼気導入用の電動ファン１２が設けられ、この通気ダクト１０の出口１３を通じて、ブロアファン３を駆動する電動モータ５に外気が吹き付けられる。【選択図】  図１
2007059584.tif 000002
【特許請求の範囲】
【請求項１】
電動モータによって駆動される炉内循環用ファンによって炉内の雰囲気ガスを循環させるリフロー炉において、
涼気を受け入れる涼気導入口を備えた通気ダクトを有し、該通気ダクトに設けられた涼気導入ファンを駆動することにより前記通気ダクトを通じて涼気を前記電動モータの周りに送風して該電動モータを強制的に空冷することを特徴とするリフロー炉。
【発明の詳細な説明】
【技術分野】
【０００１】
本発明は、半田ペーストを介して回路基板に搭載した電子部品を半田付けするためのリフロー炉に関するものである。
【背景技術】
【０００２】
リフロー炉は、半田ペーストを介して電子部品を搭載した回路基板を炉内に搬入し、回路基板を移動させながら炉内の高温の雰囲気ガスに晒すことにより電子部品を回路基板に半田付けするのに用いられている。
【０００３】
特許文献１は典型的なリフロー炉を開示している。特許文献１に開示のように、リフロー炉は内部雰囲気ガスを循環させるためのファンを有し、このファンは炉外に配置された電動モータによって駆動される。
【０００４】
ところで、リフロー炉は、適切な半田付けを行うために、炉内の温度プロファイルが重要な制御要素になる。リフロー炉で用いる半田は、環境問題問題となる鉛（Ｐｂ）を排除するために、鉛成分を含まない鉛フリー半田が使用される傾向にあり、鉛フリー半田は、これまで多用されてきた鉛成分を含む半田に比べて溶融点が高い場合が多く、このため鉛フリー半田を使う場合には高い炉内温度が設定される。
【特許文献１】特許文献２００４−１８１４８３号
【発明の開示】
【発明が解決しようとする課題】
【０００５】
上述したようにリフロー炉は炉内の雰囲気ガスを循環させるためにファンを備えているが、リフロー炉の内部温度を高い温度に設定した場合には、比較的高温の炉内の熱が、ファン及びこれに連結されるシャフトを通じて電動モータに伝達され、この熱によって電動モータが故障したり寿命が短くなるという問題がある。
【０００６】
本発明の目的は、炉内の雰囲気ガスを循環させるためのファンを備えたリフロー炉を前提として、ファンを駆動する電動モータが炉内の熱によって悪影響を受けるのを抑えることのできるリフロー炉を提供することにある。
【課題を解決するための手段】
【０００７】
かかる技術的課題は、本発明によれば、
電動モータによって駆動される炉内循環用ファンによって炉内の雰囲気ガスを循環させるリフロー炉において、
涼気を受け入れる涼気導入口を備えた通気ダクトを有し、該通気ダクトに設けられた涼気導入ファンを駆動することにより前記通気ダクトを通じて涼気を前記電動モータの周りに送風して該電動モータを強制的に空冷することを特徴とするリフロー炉を提供することにより達成される。
【０００８】
これによれば、炉内循環用ファンを駆動する電動モータが強制的に空冷されることにより、熱による電動モータの故障や寿命の短命化を抑えることができる。
【発明を実施するための最良の形態】
【０００９】
以下に、添付の図面に基づいて本発明の好ましい実施例を説明する。
【００１０】
図１〜図３は第１実施例のリフロー炉を示すものであり、図１は第１リフロー炉の側面図、図２は平面図、図３は端面図である。図示のリフロー炉１は、図面に向かって右側に入口を備え、左側に出口を備えており、半田ペーストを介して電子部品を搭載した回路基板は右から左に向けて従来と同様の手段により搬送される。
【００１１】
リフロー炉１の加熱部を構成するトンネル部２は、回路基板搬送方向Ｘに向けて複数の加熱ゾーンＺ１〜Ｚ８に区画されている。各加熱ゾーンＺ１〜Ｚ８の上方域には、夫々、ブロアファン３が配設され、また、各ブロアファン３に隣接してヒータ（図示せず）が配設されている。入口側から順に第１〜第５ゾーンＺ１〜Ｚ５は予備加熱ゾーンであり、第６〜第８ゾーンＺ６〜Ｚ８は本加熱ゾーンである。リフロー炉１の内部雰囲気ガスはエア又は不活性ガスで構成され、各加熱ゾーン毎にブロアファン３によって内部雰囲気ガスが循環され、そして、各加熱ゾーン毎に温度制御される。
【００１２】
各ブロアファン３はシャフト４を介して電動モータ５に連結され、電動モータ５が回転動作することによりブロアファン３が駆動される。ブロアファン用電動モータ５は炉壁６の外側且つ外側カバー７の内側に配設され、この電動モータ５は外側カバー７によって囲まれている。リフロー炉１は支柱８を介してフロア９上に設置され、外側カバー７は下方つまりフロア９に向けて開放されている。
【００１３】
図中、参照符号１０は通気ダクトを示す。通気ダクト１０は、実施例では、第１、第２の通気ダクト１０Ａ、１０Ｂを有し、これら第１、第２の通気ダクト１０Ａ、１０Ｂは外側カバー７の内部に配設されている。ここに、第１通気ダクト１０Ａは第１〜第４ゾーンＺ１〜Ｚ４用とされ、第２通気ダクト１０Ｂは第５〜第８ゾーンＺ５〜Ｚ８用とされている。第１、第２の通気ダクト１０Ａ、１０Ｂは、共に、中央部分に入口１１Ａ、１１Ｂを有し、この入口１１Ａ、１１Ｂを通じて第１、第２の通気ダクト１０Ａ、１０Ｂに涼気として外気が導入される。各入口１１Ａ、１１Ｂ、つまり涼気である外気を受け入れる涼気導入口は上方に向けて開放されており、各入口１１Ａ、１１Ｂには、夫々、涼気導入用の電動ファン１２Ａ、１２Ｂが配設され、この電動ファン１２Ａ、１２Ｂによって強制的に第１、第２の通気ダクト１０Ａ、１０Ｂに涼気が導入される。
【００１４】
第１通気ダクト１０Ａは第１〜第４ゾーンＺ１〜Ｚ４の合計４つの電動モータ５に亘って延びており、各電動モータ５の側面に向けて横方向に開放した第１〜第４の出口１３ａ〜１３ｄを備えている。同様に、第２通気ダクト１０Ｂは第５〜第８ゾーンＺ５〜Ｚ８の合計４つの電動モータ５に亘って延びており、各電動モータ５の側面に向けて開放した第５〜第８の出口１３e〜１３ｈを備えている。図中、参照符号１５は支柱を示し、第１、第２の通気ダクト１０Ａ、１０Ｂは支柱１５を介して炉壁６の天井壁に固定されている。
【００１５】
上記の電動ファン１２Ａ、１２Ｂを含む第１、第２の通気ダクト１０Ａ、１０Ｂは、第１〜第８の加熱ゾーンＺ１〜Ｚ８に配設された各ブロアファン３を駆動するための電動モータ５を空冷するシステムを構成している。すなわち、第１、第２の通気ダクト１０Ａ、１０Ｂには、各電動ファン１２Ａ、１２Ｂによって強制的に涼気としての外気が導入され、各通気ダクト１０Ａ、１０Ｂに導入された外気が各電動モータ５の周りに吹き付けられることにより、各電動モータ５が強制的に空冷される。
【００１６】
したがって、鉛フリー半田の使用に伴って各加熱ゾーンＺ１〜Ｚ８の高温の内部雰囲気ガスの熱が、炉壁６やブロアファン３、駆動シャフト４によって電動モータ５に伝わることよる電動モータ５の影響、つまり、ブロアファン３を駆動するための電動モータ５が熱により故障したり、寿命が短じかくなるという従来の問題を、通気ダクト１０を通じて各電動モータ５に涼気を吹き付けて空冷することにより解消することができる。
【００１７】
上記第１実施例のリフロー炉１は、上部に設置したヒータ及びブロアファン３によって各加熱ゾーンＺ１〜Ｚ８の内部雰囲気ガスを加熱しつつ循環する形式のものであるが、図４〜図６に例示するように、各加熱ゾーンＺ１〜Ｚ８の上部及び下部にヒータ及びブロアファン３を配置した第２実施例を示す。図４は第２リフロー炉の側面図、図５は端面図、図６は底面図である。
【００１８】
第２実施例のリフロー炉３０は、各加熱ゾーンＺ１〜Ｚ８の下部にも、上述した第１実施例のリフロー炉１の上部に配置した構成を具備している。そして、リフロー炉３０の下部に配置した電動ファン１２Ａ、１２Ｂを含む第１、第２の通気ダクト１０Ａ、１０Ｂの各吹き出し口は、対応する電動モータ５に向けて開口されている。また、第１、第２の通気ダクト１０Ａ、１０Ｂは、共に、中央部分に入口１１Ａ、１１Ｂを有し、この入口１１Ａ、１１Ｂを通じて第１、第２の通気ダクト１０Ａ、１０Ｂに涼気として外気が導入される。すなわち、各入口１１Ａ、１１Ｂつまり涼気導入口に下方に向けて開口し、外気は、下方に開放した外側カバー７の下端とフロア９との間の隙間を通って外側カバー７の中に入り込んで、入口１１Ａ、１１Ｂを通じて各通気ダクト１０Ａ、１０Ｂに導入され、各通気ダクト１０Ａ、１０Ｂを通って各電動モータ５に向けて吐出される。これにより、第２実施例のリフロー炉３０にあっても、その上部に配設された電動モータ５及び下部に配設された電動モータ５が共に空冷される。
【００１９】
上述した第１、第２実施例では、電動モータ５が外側カバー７の内部に配設された例を示したが、電動モータ５が外側かばー７の外部に配設された場合にも電動モータ５を強制的に空冷するのが好ましい。これを例示したのが図７である。図７に示す第３実施例のリフロー炉４０にあっては、電動モータ５の一部が外側カバー７の天井壁から上方に突出して外部に露出した状態で設置されている。外側カバー７の天井壁には、その上に第１、第２の通気ダクト１０Ａ、１０Ｂが設置され、この第１、第２の通気ダクト１０Ａ、１０Ｂの電動ファン１２Ａ、１２Ｂを駆動することにより、涼気が第１、第２の通気ダクト１０Ａ、１０Ｂを通じて各電動モータ５の周りに送風され、これにより各電動モータ５が強制的に空冷される。
【図面の簡単な説明】
【００２０】
【図１】第１実施例のリフロー炉の側面図である。
【図２】第１実施例のリフロー炉の平面図である。
【図３】第１実施例のリフロー炉の端面図である。
【図４】第２実施例のリフロー炉の側面図である。
【図５】第２実施例のリフロー炉の端面図である。
【図６】第２実施例のリフロー炉の底面図である。
【図７】第３実施例のリフロー炉の側面図である。
【符号の説明】
【００２１】
１    リフロー炉
２    トンネル部
３    ブロアファン
４    シャフト
５    電動モータ
６    炉壁
１０    通気ダクト
１１    ダクト入口
１２    涼気導入用電動ファン
【図１】
2007059584.tif 000003
【図２】
2007059584.tif 000004
【図３】
2007059584.tif 000005
【図４】
2007059584.tif 000006
【図５】
2007059584.tif 000007
【図６】
2007059584.tif 000008
【図７】
2007059584.tif 000009